(57)【特許請求の範囲】
【請求項１】
画像データに付加情報を付加した出力データを作成し，当該出力データを出力する画像処理を行う画像処理手段と，
前記画像処理手段による画像処理が中断した際に，その中断時の付加情報を記憶する記憶手段と，
前記記憶手段に記憶する有効期限を記憶する期限記憶手段と，
前記記憶手段に記憶する付加情報を削除する削除手段とを備え，
前記画像処理手段は，画像処理を再開する際に，前記記憶手段に記憶されている付加情報を基に付加情報を付加し，
前記記憶手段は，前記付加情報を，中断した時刻に関する時刻情報と対応付けて記憶し，
前記削除手段は，前記記憶手段に記憶されている時刻情報を基に，前記期限記憶手段にて記憶されている有効期限を経過した付加情報を削除することを特徴とする画像処理装置。
【請求項２】
請求項１に記載する画像処理装置において，
前記記憶手段に記憶されている付加情報を利用するか否かを選択する選択手段を備えることを特徴とする画像処理装置。
【請求項３】
請求項１または請求項２に記載する画像処理装置において，
前記画像処理手段による画像処理を中断または再開する際に，画像データに付加される付加情報を中断前の付加情報に関連付けることが可能である旨を通知する通知手段を備えることを特徴とする画像処理装置。
【請求項４】
請求項１から請求項３のいずれか１つに記載する画像処理装置において，
前記記憶手段は，前記付加情報を，出力データを識別する識別情報と対応付けて記憶し，
前記画像処理手段は，前記記憶手段に記憶されている識別情報を基に付加情報を付加することを特徴とする画像処理装置。
【請求項５】
請求項１から請求項４のいずれか１つに記載する画像処理装置において，
前記画像処理手段の画像処理は，ソートコピー処理であることを特徴とする画像処理装置。
【請求項６】
請求項１から請求項５のいずれか１つに記載する画像処理装置において，
前記付加情報には，少なくとも，ページ番号，画像処理の実行時刻，文書番号のうちの１つが含まれることを特徴とする画像処理装置。
【請求項７】
請求項１から請求項６のいずれか１つに記載する画像処理装置において，
前記記憶手段は，不揮発性を有することを特徴とする画像処理装置。
【発明の詳細な説明】
【技術分野】
【０００１】
本発明は，画像データを記録媒体に出力（例えば，用紙への印刷，メモリへの記録）する画像処理装置に関する。さらに詳細には，画像データに付加情報（例えば，ページ番号，日付）を付加して出力する画像処理装置に関するものである。
【背景技術】
【０００２】
従来から，画像データにページ番号や日時等の付加情報を付加して出力する機能を有する画像処理装置がある。例えば，複合機（ＭＦＰ）では，スキャナで読み取った画像データに付加情報を付加して印刷するものがある。付加情報は，ヘッダ，フッタ，あるいはウォータマークとして画像に付加される。
【０００３】
また，特許文献１には，ジャムにより印刷したページが排出できなかった場合に，復旧後の印刷ジョブの途中からでもジョブヘッダ等の設定情報を正しく反映させて再印刷する印刷システムが開示されている。このシステムでは，印刷制御装置がパーソナルコンピュータ（ＰＣ）から印刷ジョブを順次受信し，ジョブヘッダを取得する。このジョブヘッダを印刷制御装置の再印刷キューに残し，ジャムの発生時には，再印刷キューのジョブヘッダを利用して印刷を実行する。
【特許文献１】特開２００５−２２２０４号公報
【発明の開示】
【発明が解決しようとする課題】
【０００４】
しかしながら，前記した従来の画像処理装置には，次のような問題があった。例えば，付加情報を付加して印刷を行う印刷装置では，印刷途中で印刷続行が不可能な障害（プリンタの故障やソートコピー時のメモリフル等）が生じた場合に，適切な付加情報が付加されないことがある。
【０００５】
具体的に，図１０に示すように，５ページ分の原稿を読み取り，各原稿の画像にページ番号を付加し，５ページ分の画像のソートコピーを３部行うとする。そして，４ページ目の原稿の読み取り途中でメモリフルが生じたとする。この場合，図１１に示すように，１ページ目から３ページ目までのソートコピーが行われ，４ページ目と５ページ目とは改めてソートコピーを行うことになる。その結果，ユーザとしては，図１２に示すように，中断前のページ番号からの続きのページ番号での印刷を所望したとしても，実際の印刷としては，図１３に示すように，４ページ目のページ番号が１となる。つまり，ユーザが所望する出力結果にならない。
【０００６】
特許文献１に開示された印刷システムでは，印刷装置での印刷中断が生じた後でも設定情報を正しく反映させることが開示されているが，あくまでもＰＣ側が付加情報を作製しているため，画像処理を行う主体である印刷装置が付加情報を付加する場合には適用することができない。
【０００７】
本発明は，前記した従来の画像処理装置が有する問題点を解決するためになされたものである。すなわちその課題とするところは，画像処理が中断された場合であっても適切な付加情報を付加することができる画像処理装置を提供することにある。
【課題を解決するための手段】
【０００８】
この課題の解決を目的としてなされた画像処理装置は，画像データに付加情報を付加した出力データを作成し，当該出力データを出力する画像処理を行う画像処理手段と，画像処理手段による画像処理が中断した際に，その中断時の付加情報を記憶する記憶手段とを備え，画像処理手段は，画像処理を再開する際に，記憶手段に記憶されている付加情報を基に付加情報を付加することを特徴としている。
【０００９】
本発明の画像処理装置は，画像データに付加情報を付加する機能を有している。そして，画像処理が中断した際に，その中断時の付加情報を記憶手段に記憶する。画像処理としては，例えば，通常のコピー処理や，ＰＣから送られてくる画像データのプリント処理や，ソートコピー処理が該当する。付加情報には，ページ番号，画像処理の実行時刻，文書番号が該当する。そして，画像処理を再開する際には，記憶手段に記憶されている付加情報を基に付加情報を付加している。
【００１０】
すなわち，本発明の画像処理装置では，中断時の付加情報を画像処理装置自体が記憶することで，画像処理が中断した場合であっても，記憶した付加情報を基に中断前の情報と関連付けて付加情報を付すことができる。そのため，画像処理装置自身でユーザが所望する適切な付加情報を付加することができる。
【００１１】
また，本発明の画像処理装置は，記憶手段に記憶されている付加情報を利用するか否かを選択する選択手段を備えるとよりよい。すなわち，付加情報が日時の場合には中断前の時間よりも中断後の時間の方が好ましいことも考えられる。そこで，選択手段にて，中断前の状態を継続するか否かを選択させる。これにより，ユーザの利便性が向上する。
【００１２】
また，本発明の画像処理装置は，画像処理手段による画像処理を中断または再開する際に，画像データに付加される付加情報を中断前の付加情報に関連付けることが可能である旨を通知する通知手段を備えるとよりよい。すなわち，関連付けが可能であることを通知することで，画像処理の継続が可能であることをユーザに認識させることができる。さらには，最初からやり直すしかないと思わせないようにすることができる。
【００１３】
また，本発明の画像処理装置の記憶手段は，付加情報を，出力データを識別する識別情報と対応付けて記憶し，画像処理手段は，記憶手段に記憶されている識別情報を基に付加情報を付加するとよりよい。識別情報としては，例えばユーザＩＤやジョブＩＤが該当する。すなわち，識別情報にて出力データ（すなわち，画像処理ジョブ）が識別可能となるため，異なるユーザに誤った付加情報を付加することを防止できる。また，付加情報を識別できるため，複数の付加情報の記録が可能となり，ユーザの利便性が向上する。
【００１４】
また，本発明の画像処理装置は，記憶手段に記憶する有効期限を記憶する期限記憶手段と，記憶手段に記憶する付加情報を削除する削除手段とを備え，記憶手段は，付加情報を，中断した時刻に関する時刻情報と対応付けて記憶し，削除手段は，記憶手段に記憶されている時刻情報を基に，期限記憶手段にて記憶されている有効期限を経過した付加情報を削除するとよりよい。中断した時刻に関する時刻情報は，中断した時刻（あるいは登録した時刻）であってもよいし，その時刻に有効期限を加えた時刻（すなわち削除される時刻）であってもよい。すなわち，付加情報を長期間保持したとしてもユーザがその付加情報を欲していないこともある。その場合，不要な付加情報が削除されないまま長期間保持され続けることとなり，リソースの無駄を生む。そこで，記憶する付加情報の有効期限を設け，削除手段にて長期間記憶されているデータの削除を行う。これにより，リソースの有効利用が図られる。
【００１５】
また，本発明の画像処理装置の記憶手段は，不揮発性を有するとよりよい。すなわち，画像形成装置の故障の場合は，補修の際に安全面を考慮して電源をオフすることが多い。その際にも付加情報を保持できる。
【発明の効果】
【００１６】
本発明によれば，画像処理が中断された場合であっても適切な付加情報を付加することができる画像処理装置が実現している。
【発明を実施するための最良の形態】
【００１７】
以下，本発明にかかる画像処理装置を具体化した実施の形態について，添付図面を参照しつつ詳細に説明する。本形態は，スキャナ機能，プリント機能を備えた複合機（ＭＦＰ）に本発明を適用したものである。
【００１８】
［ＭＦＰの全体構成］
本形態のＭＦＰ１００は，図１に示すように，用紙に画像を印刷する画像形成部１１０と，原稿の画像を読み取るスキャナ部１２０とを備えている。また，スキャナ部１２０の前面側には，液晶ディスプレイからなる表示部１６と，各種のボタン等を備えた操作部１７とが設けられ，この操作部１７により動作状況の表示やユーザによる操作の入力が可能になっている。
【００１９】
画像形成部１１０は，周知の電子写真方式によって画像を形成するものであり，ハウジング９内に収容されている。画像形成部１１０は，画像データを基にレーザ光Ｌを点滅照射する露光装置３と，トナー像を形成するプロセス部１５０と，未定着のトナー像を定着させる定着装置８と，画像形成前の用紙を載置する給紙カセット９１および給紙トレイ９２と，画像形成後の用紙を載置する排紙トレイ９３とを備えている。
【００２０】
プロセス部１５０は，感光体ドラム１と，感光体ドラム１の表面を一様に帯電する帯電装置２と，感光体ドラム１の表面上に形成された静電潜像に対してトナーによる現像を行う現像装置４と，感光体ドラム１上のトナー像を用紙に転写させる転写装置５とを有している。感光体ドラム１，帯電装置２，現像装置４，および転写装置５は，プロセスカートリッジとして構成され，装置本体に対して着脱可能になっている。
【００２１】
プロセス部１５０では，感光体ドラム１の表面が帯電装置２によって一様に帯電される。その後，露光装置３からのレーザ光Ｌにより露光され，用紙に形成すべき画像の静電潜像が感光体ドラム１の表面上に形成される。次いで，現像装置４を介して，トナーが感光体ドラム１に供給される。これにより，感光体ドラム１上の静電潜像は，トナー像として可視像化される。
【００２２】
画像形成部１１０内には，底部に位置する給紙カセット９１に収容された用紙が，給紙ローラ７３，プロセス部１５０，定着装置８を通り，排紙ローラ７４を介して上部の排紙トレイ９３への導かれるように，略Ｓ字形状の搬送経路７１が設けられている。また，給紙トレイ９２に載置された用紙を，給紙ローラ７２を介してプロセス部１５０に導く搬送路も設けられている。すなわち，画像形成部１１０は，給紙カセット９１に載置されている用紙を１枚ずつ取り出し，その用紙をプロセス部１５０に搬送し，プロセス部５０にて形成されたトナー像をその用紙に転写する。さらに，トナー像が転写された用紙を定着装置８に搬送し，トナー像をその用紙に熱定着させる。そして，定着後の用紙を排紙トレイ９３に排出する。
【００２３】
スキャナ部１２０は，原稿の画像を読み取るイメージセンサ２１と，原稿の自動搬送を行うＡＤＦ（Auto Document Feeder：自動原稿供給装置）２２と，透明なプラテンガラス２３とを備えている。
【００２４】
スキャナ部１２０での原稿の読取方式としては，フラットベッド（原稿固定走査）方式と，ＡＤＦ（原稿移動走査）方式とがある。フラットベッド方式の場合，原稿を１枚ずつプラテンガラス２３上に載置する。その状態で，イメージセンサ２１が副走査方向（主走査方向に直交方向，図１の左右方向）に移動し，その際に主走査方向に１ラインずつ原稿の画像が読み取られる。一方，ＡＤＦ方式の場合，原稿を纏めてＡＤＦの原稿トレイに載置する。そして，原稿がイメージセンサ２１に対向する位置に搬送され，その際に主走査方向に１ラインずつ原稿の画像が読み取られる。
【００２５】
［ＭＦＰの電気的構成］
続いて，ＭＦＰ１００の電気的構成について説明する。ＭＦＰ１００は，図２に示すように，ＣＰＵ３１（画像処理手段，選択手段，通知手段，削除手段の一例）と，ＲＯＭ３２と，ＲＡＭ３３と，不揮発性メモリ（ＮＶＲＡＭ）３４（記憶手段，期限記憶手段の一例）と，ＡＳＩＣ３５と，ネットワークインターフェース３６と，ＦＡＸインターフェース３７とを備えた制御装置３０を有している。
【００２６】
ＣＰＵ３１は，ＭＦＰ１００におけるスキャン機能，プリント機能，ＦＡＸ通信機能等の各種機能を実現するための演算を実行し，制御の中枢となるものである。ＲＯＭ３２には，ＭＦＰ１００を制御するための各種制御プログラムや各種設定，初期値等が記憶されている。ＲＡＭ３３は，各種制御プログラムが読み出される作業領域として，あるいは画像データを一時的に記憶する記憶領域として利用される。ＮＶＲＡＭ３４は，不揮発性を有する記憶手段（Non Volatile RAM）であって，各種設定ないし画像データ等を保存するものである。
【００２７】
ＡＳＩＣ３５は，画像形成部１１０，スキャナ部１２０，表示部１６，操作部１７，時計１８等と電気的に接続されている。ＣＰＵ３１は，ＲＯＭ３２から読み出した制御プログラムに従って，その処理結果をＲＡＭ３３やＮＶＲＡＭ３４に記憶させながら，ＡＳＩＣ３５を介してＭＦＰ１００の各構成要素を制御する。
【００２８】
ネットワークインターフェース３６には，パーソナルコンピュータ（ＰＣ）等の情報機器が接続され，このネットワークインターフェース３６を介して情報機器との相互のデータ通信が可能になっている。ＦＡＸインターフェース３７には，ファクシミリ通信を行うためのものであり，電話回線に接続される。具体的にＦＡＸインターフェース３７は，ＮＣＵやモデム等によって構成される。
【００２９】
［ＭＦＰの機能］
続いて，ＭＦＰ１００の基本機能（スキャン機能，プリント機能，ＦＡＸ通信機能）以外の機能について説明する。ＭＦＰ１００は，印刷処理を行う際に，原稿の画像に付加情報（ページ番号や日時等）を付加する付加機能を有している。付加情報は，ヘッダ，フッタ，あるいはウォータマークとして画像に付加される。本形態では，付加情報としてページ番号をフッタとして付加するものとする。
【００３０】
また，ＭＦＰ１００は，スキャナ部１２０にて複数枚の原稿の画像を読み取り，それらの画像データをＲＡＭ３３に一旦記憶し，ＲＡＭ３３から画像データを繰り返し読み出して画像形成部１１０によって印刷を行うソート機能を有している。
【００３１】
また，ＭＦＰ１００は，ソートコピー時の原稿の読み取りが中断した際に，中断したページ番号をＮＶＲＡＭ３４に記憶し，再開時には，ＮＶＲＡＭ３４から番号を読み出してページ番号の開始番号としてコピー（以下，「続行コピー」とする）を行う続行コピー機能を有している。
【００３２】
また，ＭＦＰ１００は，ページ番号を記憶するデータベース１４０を有している。データベース１４０は，ＮＶＲＡＭ３４に記憶されており，仮に電源がオフされたとしても情報を保持する。図３は，データベース１４０の一例（記憶手段の一例）を示している。データベース１４０には，ユーザを識別するユーザＩＤ（画像出力ジョブを識別する識別情報の一例），ページ番号，データベース１４０への登録時間が，１つのレコードとして記録される。データベース１４０は，続行コピーを行う際に利用される。また，データベース１４０には，複数のレコードを記録可能であり，ユーザＩＤごとに続行コピー用のページ番号が記録される。
【００３３】
［ソートコピー処理］
続いて，ＭＦＰ１００のソートコピー処理について，図４および図５のフローチャートを参照しつつ説明する。本処理は，操作部１７にてユーザがソートコピーを行うことを選択した際に実行される。また，原稿の画像には付加情報が付加される。なお，付加情報としては，ページ番号，画像処理の実行時刻，文書番号の少なくとも１つが選択される。以下の説明では，付加情報としてページ番号が選択されているものとする。
【００３４】
まず，図４に示すように，ユーザ情報を入力させる画面を表示部１６に表示し，ユーザが操作部１７を操作することによってユーザ情報が入力される（Ｓ１０１）。本形態では，図６（Ａ）に示すような画面が表示され，ソートコピーを行うユーザのユーザＩＤおよびソートコピーの部数が入力される。
【００３５】
次に，入力されたユーザＩＤを基に，データベース１４０からユーザＩＤが一致するレコードを検索する（Ｓ１０２）。そして，レコードが検索されたか否かを判断する（Ｓ１０３）。レコードが検索されなければ（Ｓ１０３：ＮＯ），通常のソートコピーを行う。すなわち，ソートコピーされる画像の先頭ページ番号として‘１’を設定する（Ｓ１０４）。
【００３６】
一方，レコードが検索された場合には（Ｓ１０３：ＹＥＳ），図６（Ｂ）に示すように，続行コピーを行うか否かを選択させる画面を表示する（Ｓ１２１）。そして，続行コピーが選択されたか否かを判断する（Ｓ１２２：選択手段の一例）。
【００３７】
続行コピーが選択された場合には（Ｓ１２２：ＹＥＳ），検索されたレコードに記録されているページ番号を，ソートコピーされる画像の先頭ページ番号として設定する（Ｓ１２３）。一方，続行コピーが選択されなかった場合には（Ｓ１２２：ＮＯ），ソートコピーされる画像の先頭ページ番号として‘１’を設定する（Ｓ１３１）。Ｓ１２３ないしＳ１３１の処理後，該当レコードを，データベース１４０から削除する（Ｓ１２４）。
【００３８】
Ｓ１０４，Ｓ１２３あるいはＳ１３１の処理によって先頭ページ番号が設定された後，原稿の読み取りを開始する。その際，表示部１７の表示を図６（Ｃ）に示すように続行コピーないし通常のコピーが継続中である旨の表示に切り替え，図５のＳ１０５の処理に移行する。
【００３９】
Ｓ１０５の処理以降では，原稿を読み取り，読み取った原稿の画像に基づく印刷を行う。なお，スキャナ部１２０のＡＤＦ２２には，あらかじめ原稿が載置されているものとする。まず，スキャナ部１２０にて１ページ分の原稿を読み取る（Ｓ１０５）。
【００４０】
次に，読み取った原稿の画像データをＲＡＭ３３に記憶できたか否か，すなわちメモリフルであるか否かを判断する（Ｓ１０６）。画像データを記憶できた場合には（Ｓ１０６：ＹＥＳ），当該画像データと現在のページ番号とを合成し，ページ番号付きの画像データを作成する（Ｓ１０７：画像処理手段の一例）。ページ番号付きの画像データを作成した後，現在のページ番号に１を加算する（Ｓ１０８）。その後，原稿が最終ページであるか否かを判断する（Ｓ１０９）。最終ページであれば（Ｓ１０９：ＹＥＳ），Ｓ１１０の印刷処理に移行する。一方，最終ページでなければ（Ｓ１０９：ＮＯ），Ｓ１０５の処理に戻り，原稿の読み取りを繰り返す。
【００４１】
一方，画像データを記憶できなかった場合には（Ｓ１０６：ＮＯ），その時点でのページ番号を，ユーザＩＤとともにデータベースに記録する（Ｓ１２５：記憶手段の一例）。すなわち，中断後の続行コピーにおいて，先頭ページ番号となる番号を記憶する。
【００４２】
その後，続行コピーが可能である旨を通知する（Ｓ１２６：通知手段の一例）。本形態では，図７に示すように，表示部１６でのメッセージ表示によって通知する。通知手段は，表示部１６での表示のほか，音声によるものであってもよい。また，ソートコピーがＰＣからの依頼であれば，電子メール等によって依頼元のＰＣにメッセージを送ってもよい。これにより，続行コピーが可能である旨の注意を喚起することができる。さらには，最初からやり直すしかないと思わせないようにすることができる。また，続行コピーについての機能を知らないユーザであっても，続行コピーについての注意が喚起される。
【００４３】
原稿の読み取り後は，画像形成部１１０によってＲＡＭ３３に記憶した画像データを基に印刷を行う（Ｓ１１０：画像処理手段の一例）。これにより，ページ番号が付された画像が順次出力される。Ｓ１１０の印刷後は，印刷した画像の画像データについてＲＡＭ３３から消去し，本処理を終了する。
【００４４】
この印刷処理では，例えば，図１０に示したように，５ページ分の原稿を読み取り，ページ番号を付加して５ページ分の画像のソートコピーを３部行うとして，４ページ目の原稿の読み取り途中でメモリフルが生じたとすると，図１１に示したように，１ページ目から３ページ目までのソートコピーが行われる。
【００４５】
その後に，４ページ目と５ページ目とを改めてソートコピーを行う際に，続行コピーを行うか否かの選択画面が表示される。続行コピーを選択する，すなわちＳ１２２の処理でＹＥＳと応答すると，中断した時点でのページ番号が付される。すなわち，図１２に示すように，印刷が終了した原稿の続きのページ番号が付され，ユーザが所望する出力結果となる。
【００４６】
一方，続行コピーを選択しない，すなわちＳ１２２の処理でＮＯと応答することも考えられる。例えば，付加情報として日時を付加する場合，中断前の日時よりも中断後の現在の時刻を印刷する方が好ましいことも考えられる。その場合には，中断前の情報との関連付けを行わずに，現在の情報が付加される。このように，続行コピーを行うか否かを選択可能にすることで，ユーザの利便性に資する。
【００４７】
［レコード削除処理］
続いて，データベース１４０に記録されたレコードの自動削除処理について説明する。一般的に，長期間記録している付加情報については，中断前のデータとの関連付けを希望しないことが考えられる。その場合，不要なレコードを長期間保持することになり，リソースを無駄にする。そこで，本形態では，続行コピーの情報に有効期限を設定し，有効期限を経過した情報については，自動的にデータベース１４０から削除する。
【００４８】
始めに，有効期限を設定する記憶期限設定処理について，図８のフローチャートを参照しつつ説明する。なお，本処理は，ユーザが操作部１７を操作することによって実行される。
【００４９】
まず，続行コピーの設定を記憶する記憶時間（有効期限）を設定する画面を，表示部１６に表示する（Ｓ２０１）。ユーザによる記憶時間の入力を終えた後，その記憶時間をＮＶＲＡＭ３４に記憶する（Ｓ２０２：期限記憶手段の一例）。Ｓ２０２の処理後，本処理を終了する。これにより，データベース１４０のレコードの有効期限が設定される。
【００５０】
次に，レコードを自動的に削除する自動削除処理について，図９のフローチャートを参照しつつ説明する。なお，本処理は，定期的（本形態では１分間隔）に実行される。
【００５１】
まず，データベース１４０から１つのレコードが抽出される（Ｓ２２１）。そして，そのレコードに記録されている登録時間と，ＭＦＰ１００が内蔵する時計１８から取得される現在時刻と，Ｓ２０２の処理で記憶した記憶時間とを基に，有効期限を経過しているか否かを判断する（Ｓ２２２）。有効期限を経過している場合には（Ｓ２２２：ＹＥＳ），当該レコードを削除する（Ｓ２２３：削除手段の一例）。一方，有効期限内の場合には（Ｓ２２２：ＮＯ），Ｓ２２３の処理をバイパスする。
【００５２】
その後，最終レコードであるか否かを判断する（Ｓ２２４）。最終レコードであれば（Ｓ２２４：ＹＥＳ），本処理を終了する。一方，最終レコードでなければ（Ｓ２２４：ＮＯ），Ｓ２２１の処理に戻り，レコードの検索を繰り返す。これにより，有効期限を経過したレコードが自動的にデータベース１４０から削除される。
【００５３】
なお，本形態では，データベース１４０に登録時間が記録され，登録時間と記憶時間とを基に削除される時刻を求めているが，レコードを登録する段階でデータベース１４０から削除される時刻を記録してもよい。すなわち，登録時間に記憶時間を加算した時刻を記録してもよい。その場合，記録されている時刻と現在時刻との直接比較で，有効期限を経過しているか否かが判断される。
【００５４】
以上詳細に説明したように本形態のＭＦＰ１００は，中断時のページ番号をデータベース１４０（ＮＶＲＡＭ３４）にて記憶することで，画像処理が中断した場合であっても，記憶したページ番号を基にその続きのページ番号を付すことができる。そのため，ＭＦＰ１００自身でユーザが所望する適切なページ番号を付加することができる。
【００５５】
また，本形態のＭＦＰ１００は，印刷処理を行うに際し，ユーザＩＤを入力させる。そのため，ユーザＩＤにて印刷データ（印刷ジョブ）の識別が可能であり，異なるユーザに誤った付加情報を付加することを防止できる。また，付加情報を識別できるため，複数の付加情報の記録が可能となり，複数のユーザで続行コピー機能を利用することができる。
【００５６】
また，本形態のＭＦＰ１００は，データベース１４０の各レコードの有効期限を設けている。そして，有効期限を経過しているレコードを自動的に削除している。これにより，リソースの有効利用が図られる。
【００５７】
なお，本実施の形態は単なる例示にすぎず，本発明を何ら限定するものではない。したがって本発明は当然に，その要旨を逸脱しない範囲内で種々の改良，変形が可能である。例えば，ＭＦＰに限らず，画像データに付加情報を付加して出力するものであればよく，複写機，プリンタ，ＦＡＸ装置であっても適用可能である。また，画像形成部の画像形成方式は，電子写真方式に限らず，インクジェット方式であってもよい。
【００５８】
また，実施の形態では，ソートコピーに本発明を適用しているが，ソートコピーに限らず，複数の画像データを記憶する必要がある機能であれば，本発明は好適である。例えばブックレットコピーにも好適である。また，必ずしも複数の画像データを記憶する必要はなく，ＰＣから送られてくる画像データのプリント処理や，通常のコピー処理であっても適用可能である。
【００５９】
また，実施の形態では，付加情報を合成した画像データを印刷処理しているが，画像データの出力処理は，印刷処理に限るものではない。例えば，付加情報を合成した１ページ分の画像データごとにＵＳＢメモリ等の外部記憶装置に記憶する保存処理を行ってもよい。
【００６０】
また，実施の形態では，データベース１４０にページ番号を記録しているが，記録される付加情報はページ番号に限るものではない。すなわち，記録される付加情報は，選択可能な付加情報によって異なる。例えば，日時の付加が可能であれば日時が記録され，文書番号の付加が可能であれば文書番号が記録される。
【００６１】
また，実施の形態では，ユーザＩＤによって各ユーザの付加情報を識別しているが，これに限るものではない。例えば，印刷ジョブごとにジョブＩＤを付し，ジョブＩＤによって付加情報を識別してもよい。また，ユーザＩＤないしジョブＩＤとともにパスワードを設定可能とすることで，より適正に付加情報を付加することができる。
【００６２】
また，実施の形態では，メモリフルの際に，ページ番号をデータベース１４０に記録しているが，これに限るものではない。すなわち，画像処理が中断するタイミングであればよく，例えば，プリンタの故障時であってもよい。
【図面の簡単な説明】
【００６３】
【図１】実施の形態にかかるＭＦＰの概略構成を示す断面図である。
【図２】実施の形態にかかるＭＦＰの電気的構成を示すブロック図である。
【図３】実施の形態にかかるＭＦＰの読み取り中断時のページ番号を記録するデータベースの一例を示す図である。
【図４】実施の形態に係るＭＦＰのソートコピー処理の手順を示すフローチャート（その１）である。
【図５】実施の形態に係るＭＦＰのソートコピー処理の手順を示すフローチャート（その２）である。
【図６】ソートコピー時の続行コピーを選択する際の表示部の画面遷移を示す図である。
【図７】ソートコピー時のメモリフル時の表示部の告知例を示す図である。
【図８】実施の形態に係るＭＦＰの記憶期限設定処理の手順を示すフローチャートである。
【図９】実施の形態に係るＭＦＰの自動削除処理の手順を示すフローチャートである。
【図１０】ソートコピーの読み取り順の例を示す図である。
【図１１】中断前までの原稿のソートコピーの印刷順の例を示す図である。
【図１２】再開後にユーザが所望する原稿の印刷例を示す図である。
【図１３】再開後に実際に印刷される原稿の印刷例を示す図である。
【符号の説明】
【００６４】
３１    ＣＰＵ
３３    ＲＡＭ
３４    ＮＶＲＡＭ
１００  ＭＦＰ
１１０  画像形成部
１２０  スキャナ部
１４０  データベース
１５０  プロセス部
【図１】
0004883036.tif 000002
【図２】
0004883036.tif 000003
【図３】
0004883036.tif 000004
【図４】
0004883036.tif 000005
【図５】
0004883036.tif 000006
【図６】
0004883036.tif 000007
【図７】
0004883036.tif 000008
【図８】
0004883036.tif 000009
【図９】
0004883036.tif 000010
【図１０】
0004883036.tif 000011
【図１１】
0004883036.tif 000012
【図１２】
0004883036.tif 000013
【図１３】
0004883036.tif 000014